(57)【要約】【課題】ボビンを変えずに１次側巻線と２次側巻線との離間距離を容易に調整可能な高圧トランスの提供。【解決手段】バンク巻で巻回された２次側巻線４の部分であって筒形状部２Ｂの軸方向においてリブ２Ａに対向する２次側巻線４の部分は、筒形状部２Ｂの軸方向へリブ２Ａから離間するにつれて筒形状部２Ｂの上面２５Ａから離間するような鍔側バンク角４ｂを有する鍔側バンク部４Ａを有する。即ち、２次側巻線４−１の周面上部と２次側巻線４−５の周面上部と２次側巻線４−１２の周面上部と２次側巻線４−２２の周面上部と２次側巻線４−３５の周面上部とを結ぶ仮想接線４ａが鍔側バンク角４ｂをなし、鍔側バンク角４ｂは、筒形状部２Ｂの軸方向であってリブ２Ａから離間する方向たるｘ軸プラス方向を基準として、２次側巻線４−１から２次側巻線４−３５へと向かう方向へ２０°の角度をなしている。【選択図】図４
2010109131.tif 000002
【特許請求の範囲】
【請求項１】
コアと、
該コアを環装するようにして設けられた略直線状の筒形状部と該筒形状部の外周から該筒形状部の軸方向に垂直の方向へ延出して設けられ該筒形状部の軸方向において該筒形状部の外周を１次側ボビン領域と２次側ボビン領域とに区画する鍔部とを備えるボビンと、
導線からなり該ボビンの該１次側ボビン領域に巻回された１次側巻線と、
導線からなり該ボビンの該２次側ボビン領域に巻回された２次側巻線とを備え、
該２次側巻線は、該筒形状部の軸方向へ該鍔部から離間するにつれて該筒形状部の外周へ近づく反鍔側バンク角を有するように該筒形状部の外周上に層状に該筒形状部の周方向へバンク巻によって巻回され、該筒形状部の軸方向において該鍔部に対向する該２次側巻線の部分は、該筒形状部の軸方向へ該鍔部から離間するにつれて該筒形状部の外周から離間するような鍔側バンク角を有する鍔側バンク部を有し、
該鍔側バンク部の該鍔側バンク角は、該筒形状部の軸方向であって該鍔部から離間する方向を基準として０°よりも大きく２０°以下であることを特徴とする高圧トランス。
【請求項２】
該２次側巻線は、該筒形状部の外周上の該鍔部と該鍔側バンク部との間に該鍔部から該鍔側バンク部に至るまで該筒形状部の軸方向へ向かって該筒形状部の周方向に螺旋状に巻回された整列巻部を有し、
該整列巻部は該筒形状部の軸方向に垂直の方向で該整列巻部の層の数を数えた場合に、単層をなすか、又は該筒形状部の軸方向に垂直の方向で２次側巻線の層の数を数えた場合の層数の最大値の２０％以内の層数を有する複数層をなすことを特徴とする請求項１記載の高圧トランス。
【請求項３】
コアと、
少なくとも対向する第一面及び第二面を備え該コアを環装するようにして設けられた略直線状の筒形状部と該筒形状部の外周から該筒形状部の軸方向に垂直の方向へ延出して設けられ該筒形状部の軸方向において該筒形状部の外周を１次側ボビン領域と２次側ボビン領域とに区画する鍔部とを備えるボビンと、
導線からなり該ボビンの該１次側ボビン領域に巻回された１次側巻線と、
導線からなり該ボビンの該２次側ボビン領域に巻回された２次側巻線とを備え、
該２次側巻線は、該筒形状部の軸方向一端側から他端側に向けて該筒形状部に等ピッチで複数回巻回される第一ターン部と、該第一ターン部の該第一面上における外周側ターン部として該軸方向他端側から該一端側に向けて該第一ターン部と等ピッチで複数回巻回される第二ターン部と、該第二ターン部の該第一面上における外周側ターン部として該軸方向一端側から該他端側に向けて該第一ターン部と等ピッチで複数回巻回される第三ターン部と、の少なくとも三ターン部を備えた複数ターン部に巻回され、
該第一面と該第二面とを繋ぐ側面上において、該複数ターン部の２次側巻線は互いに該軸方向にずれて配置され、
一のターン部と他のターン部との交差部分が該第一面上に位置し、
該第一ターン部の一ピッチにおける２次側巻線間の間隔は、該２次側巻線の直径と複数ターン部数から一を引いた数との積以上になる様に構成され、
該筒形状部の軸方向において該鍔部に対向する該２次側巻線の部分は、該筒形状部の軸方向へ該鍔部から離間するにつれて該筒形状部の外周から離間するような鍔側バンク角を有する鍔側バンク部を有し、
該鍔側バンク部の該鍔側バンク角は、該筒形状部の軸方向であって該鍔部から離間する方向を基準として０°よりも大きく２０°以下であることを特徴とする高圧トランス。
【発明の詳細な説明】
【技術分野】
【０００１】
本発明は高圧トランスに関し、特に１次側巻線と２次側巻線との間にリーケージインダクタンスを意図的に生じさせる高圧トランスに関する。
【背景技術】
【０００２】
略直線状をしたコアを環装するようにして略直線状をした略筒形状のボビンが設けられ、それぞれ絶縁被覆された導線からなる１次側巻線と２次側巻線とが、ボビンの１次側領域と２次側領域とにそれぞれ巻回されて構成されるインバータトランス等の高圧トランスが従来より知られている。ボビンにはボビンの軸心方向に垂直をなす鍔部がボビンの外周から延出して設けられ、ボビンの軸心方向においてボビンの外周が、当該鍔部により１次側領域と２次側領域とに仕切られている。
【０００３】
このような構成の高圧トランスでは、２次側巻線において例えば２０００Ｖ程度の高電圧を発生させる。２次側巻線の形成に際して、略筒形状をしたボビンの軸方向において２次側領域の一端から他端に渡って２次巻線を巻回した後に、２次側領域の他端から一端に渡って２次巻線を巻回し、このように当該一端と他端との間を往復して巻回する工程を繰返すことにより２次巻線をボビンの２次側領域において所定の巻回数巻回する場合には、往路の巻回の巻き始めの２次側巻線の部分と復路の巻回の巻き終わりの２次側巻線の部分とが近接配置されることになるが、これらの間の電位差が大きくなり絶縁破壊の問題が生ずる。そこで、このような高圧トランスでは、いわゆるセクション巻やバンク巻といった巻回方法によりボビンの２次側領域に２次側巻線が巻回されている。
【０００４】
セクション巻では、ボビンの２次側領域を複数の領域に仕切る仕切り板がボビンの外周に設けられ、仕切り板で仕切られた２次側領域の各領域に２次側巻線がそれぞれ巻回される。巻線の往復距離を短くすることにより電位差を小さくして絶縁破壊の問題を解消しようとする。
【０００５】
しかしセクション巻では、一の領域に対して巻回し終え、当該一の領域に隣接する領域に対して巻回し始める際に、巻回スピードを落とす必要があり、２次側巻線を全て巻回する時間が長い。また、一の領域に対して巻回しているときに、当該一の領域に隣接する領域に２次側巻線の一部がはみ出してしまい、当該一の領域に隣接する領域に巻回しているときに、当該はみ出した部分が一緒に巻回されてしまい、絶縁不良を引き起こすといった問題がある。
【０００６】
バンク巻では、例えば、先ず予め２次側巻線を、略筒形状をしたボビンの軸心を含む断面で切った断面がボビンの外周において略直角三角形となるように、１次側領域と２次側領域とに仕切る鍔部と、２次側領域を規定するボビンの外周とにそれぞれ当該略直角三角形の直角をなす２つの辺がそれぞれ当接するように巻回する。次に、当該略直角三角形の斜辺の下端から上端に沿って２次巻線を巻回した後に、当該略直角三角形の斜辺の上端から下端に渡って２次巻線を巻回し、このように往復して巻回する工程を繰返すことにより、この各往路、復路それぞれで２次巻線をボビンの２次側領域において当該直角三角形の斜辺の傾斜角たるバンク角が保たれた状態で巻回する。このようなバンク巻された２次側巻線を有する高圧トランスは、例えば、特開２００６−３３２３４１号公報（特許公報１）に記載されている。
【０００７】
インバータトランスでは、電圧の変動に伴う電流値の変動を抑えるためにリーケージインダクタンスを利用している。リーケージインダクタンスを得るためには、１次側巻線と２次側巻線の結合を下げればよいのであるが、このためには、１次側巻線に対する２次側巻線の巻数比を下げるか、又は１次側巻線と２次側巻線とを離間させることが考えられる。しかし、巻数比を変えることは設計上できないため、１次側巻線と２次側巻線とを離間させることによりリーケージインダクタンスを得て、更に離間距離を調整することによりリーケージインダクタンスを調整することが現実的である。
【特許文献１】特開２００６−３３２３４１号公報
【発明の開示】
【発明が解決しようとする課題】
【０００８】
このようにしてリーケージインダクタンスを調整するためには、略筒形状をしたボビンの軸方向における鍔部の厚さを調整することによって１次側巻線と２次側巻線との離間距離を調整することが考えられるが、この場合には、リーケージインダクタンスを調整するたびにボビンを設計し直して異なる形状のボビンに変えなければならない。
【０００９】
また、前述したバンク巻の場合には、予め２次側巻線を、略筒形状をしたボビンの軸心を含む断面で切った断面が略直角三角形となるように、１次側領域と２次側領域とに仕切る鍔部とボビンの外周とにそれぞれ当該略直角三角形の直角をなす２つの辺が当接するように巻回するため、鍔部の厚さを変えない場合には、１次側巻線と２次側巻線との離間距離は常に鍔部の厚さと等しく、１次側巻線と２次側巻線との離間距離の調整は困難であった。
【００１０】
そこで、本発明は、ボビンを変えずに１次側巻線と２次側巻線との離間距離を容易に調整可能な高圧トランスを提供することを目的とする。
【課題を解決するための手段】
【００１１】
上記課題を解決するために本発明は、コアと、該コアを環装するようにして設けられた略直線状の筒形状部と該筒形状部の外周から該筒形状部の軸方向に垂直の方向へ延出して設けられ該筒形状部の軸方向において該筒形状部の外周を１次側ボビン領域と２次側ボビン領域とに区画する鍔部とを備えるボビンと、導線からなり該ボビンの該１次側ボビン領域に巻回された１次側巻線と、導線からなり該ボビンの該２次側ボビン領域に巻回された２次側巻線とを備え、該２次側巻線は、該筒形状部の軸方向へ該鍔部から離間するにつれて該筒形状部の外周へ近づく反鍔側バンク角を有するように該筒形状部の外周上に層状に該筒形状部の周方向へバンク巻によって巻回され、該筒形状部の軸方向において該鍔部に対向する該２次側巻線の部分は、該筒形状部の軸方向へ該鍔部から離間するにつれて該筒形状部の外周から離間するような鍔側バンク角を有する鍔側バンク部を有し、該鍔側バンク部の該鍔側バンク角は、該筒形状部の軸方向であって該鍔部から離間する方向を基準として０°よりも大きく２０°以下である高圧トランスを提供している。
【００１２】
筒形状部の軸方向において鍔部に対向する２次側巻線の部分は、筒形状部の軸方向へ鍔部から離間するにつれて筒形状部の外周から離間するような鍔側バンク角を有する鍔側バンク部を有し、鍔側バンク部の鍔側バンク角は、筒形状部の軸方向であって鍔部から離間する方向を基準として０°よりも大きく２０°以下であるため、０°よりも大きく２０°以下の範囲内で鍔側バンク角を調整することにより１次側巻線と２次側巻線との離間距離を容易に調整することができ、この結果、バンク巻を用いた場合であっても容易にリーケージインダクタンスを調整することができる。
【００１３】
ここで、該２次側巻線は、該筒形状部の外周上の該鍔部と該鍔側バンク部との間に該鍔部から該鍔側バンク部に至るまで該筒形状部の軸方向へ向かって該筒形状部の周方向に螺旋状に巻回された整列巻部を有し、該整列巻部は該筒形状部の軸方向に垂直の方向で該整列巻部の層の数を数えた場合に、単層をなすか、又は該筒形状部の軸方向に垂直の方向で２次側巻線の層の数を数えた場合の層数の最大値の２０％以内の層数を有する複数層をなすことが好ましい。
【００１４】
２次側巻線は、筒形状部の外周上の鍔部と鍔側バンク部との間に鍔部から鍔側バンク部に至るまで筒形状部の軸方向へ向かって筒形状部の周方向に螺旋状に巻回された整列巻部を有し、整列巻部は筒形状部の軸方向に垂直の方向で整列巻部の層の数を数えた場合に、単層をなすか、又は筒形状部の軸方向に垂直の方向で２次側巻線の層の数を数えた場合の層数の最大値の２０％以内の層数を有する複数層をなすため、整列巻部がリーケージインダクタンスの調整に影響を与えないようにすることができる。このため、整列巻部の分だけ２次側巻線の鍔側バンク部を鍔部からより大きな距離で離間させることができ、リーケージインダクタンスをより大きくすることができる。
【００１５】
また、本発明は、コアと、少なくとも対向する第一面及び第二面を備え該コアを環装するようにして設けられた略直線状の筒形状部と該筒形状部の外周から該筒形状部の軸方向に垂直の方向へ延出して設けられ該筒形状部の軸方向において該筒形状部の外周を１次側ボビン領域と２次側ボビン領域とに区画する鍔部とを備えるボビンと、導線からなり該ボビンの該１次側ボビン領域に巻回された１次側巻線と、導線からなり該ボビンの該２次側ボビン領域に巻回された２次側巻線とを備え、該２次側巻線は、該筒形状部の軸方向一端側から他端側に向けて該筒形状部に等ピッチで複数回巻回される第一ターン部と、該第一ターン部の該第一面上における外周側ターン部として該軸方向他端側から該一端側に向けて該第一ターン部と等ピッチで複数回巻回される第二ターン部と、該第二ターン部の該第一面上における外周側ターン部として該軸方向一端側から該他端側に向けて該第一ターン部と等ピッチで複数回巻回される第三ターン部と、の少なくとも三ターン部を備えた複数ターン部に巻回され、該第一面と該第二面とを繋ぐ側面上において、該複数ターン部の２次側巻線は互いに該軸方向にずれて配置され、一のターン部と他のターン部との交差部分が該第一面上に位置し、該第一ターン部の一ピッチにおける２次側巻線間の間隔は、該２次側巻線の直径と複数ターン部数から一を引いた数との積以上になる様に構成され、該筒形状部の軸方向において該鍔部に対向する該２次側巻線の部分は、該筒形状部の軸方向へ該鍔部から離間するにつれて該筒形状部の外周から離間するような鍔側バンク角を有する鍔側バンク部を有し、該鍔側バンク部の該鍔側バンク角は、該筒形状部の軸方向であって該鍔部から離間する方向を基準として０°よりも大きく２０°以下である高圧トランスを提供している。
【００１６】
筒形状部の軸方向において鍔部に対向する２次側巻線の部分は、筒形状部の軸方向へ鍔部から離間するにつれて筒形状部の外周から離間するような鍔側バンク角を有する鍔側バンク部を有し、鍔側バンク部の鍔側バンク角は、筒形状部の軸方向であって鍔部から離間する方向を基準として０°よりも大きく２０°以下であるため、鍔側バンク角を調整することにより１次側巻線と２次側巻線との離間距離を容易に調整することができ、バンク巻により２次側巻線が巻回された場合であっても容易にリーケージインダクタンスを調整することができる。
【００１７】
また、２次側巻線は、筒形状部の軸方向一端側から他端側に向けて筒形状部に等ピッチで複数回巻回される第一ターン部と、第一ターン部の第一面上における外周側ターン部として軸方向他端側から一端側に向けて第一ターン部と等ピッチで複数回巻回される第二ターン部と、第二ターン部の第一面上における外周側ターン部として軸方向一端側から他端側に向けて第一ターン部と等ピッチで複数回巻回される第三ターン部と、の少なくとも三ターン部を備えた複数ターン部に巻回され、第一面と第二面とを繋ぐ側面上において、複数ターン部の２次側巻線は互いに軸方向にずれて配置され、一のターン部と他のターン部との交差部分が第一面上に位置し、第一ターン部の一ピッチにおける２次側巻線間の間隔は、２次側巻線の直径と複数ターン部数から一を引いた数との積以上になる様に構成されているため、第一ターン部と第二ターン部とが交差する箇所、第二ターン部と第三ターン部とが交差する箇所をいずれも重ならせずに済む。このため、２次側巻線を構成する導線が交差する箇所が顕著に盛り上がることを防止でき、巻崩れの発生を抑制することができる。
【発明の効果】
【００１８】
以上より本発明によれば、ボビンを変えずに１次側巻線と２次側巻線との離間距離を容易に調整可能な高圧トランスを提供することができる。
【発明を実施するための最良の形態】
【００１９】
本発明の実施の形態による高圧トランスについて図１乃至図４に基づき説明する。高圧トランスは、より具体的には図１に示されるようなインバータトランス１である。インバータトランス１は、約４０×１０×５ｍｍ程度の大きさであり、樹脂ボビン２と、樹脂ボビン２の表面に巻回された１次側巻線３及び２次側巻線４と、Ｉ型コア５と、Ｕ字型コア６と、第一固定金具７と、第二固定金具８とを備えている。
【００２０】
巻芯部である樹脂ボビン２は、内部にＩ型コア５を保持可能に中空状の筒形状をなす筒形状部２Ｂ（図３）を有している。樹脂ボビン２の筒形状部２Ｂの表面たる外周の面には、筒形状部２Ｂの軸方向において筒形状部２Ｂの外周を後述のように１次側巻線３が巻回される１次側ボビン領域２４と２次側巻線４が巻回される２次側ボビン領域２５とに区画するリブ２Ａが形成されている。リブ２Ａは、筒形状部２Ｂの外周から筒形状部２Ｂの軸方向に垂直の方向へ延出して設けられている。リブ２Ａは鍔部に相当する。
【００２１】
１次側ボビン領域２４及び２次側ボビン領域２５における樹脂ボビン２の後述のｘ軸と直交する断面は、略四角形に構成されている。また２次側ボビン領域２５は、図３に示されるように、四角形を構成する一面である上面２５Ａと、上面２５Ａに繋がる両側面である第一側面２５Ｂ及び第二側面２５Ｃと、上面に対向する二面である図示せぬ下面とから構成されており、ｘ軸と直交する断面は上面２５Ａ及び図示せぬ下面を長辺とする長方形に形成されている。
【００２２】
図１に示されるように２次側ボビン領域２５上には、巻回された２次側巻線４を覆うカバー２１が設けられている。樹脂ボビン２において、筒形状部２Ｂの軸方向に平行であって１次側巻線３が巻回される位置から２次側巻線４が巻回される位置に向かう方向をｘ軸方向と定義すると共に、ｘ軸方向と直交する方向をそれぞれｙ軸方向、ｚ軸方向と定義し、それぞれｘｙｚ軸の矢印方向を＋方向と定義する。また樹脂ボビン２において、１次側巻線３が巻回された側の一端近傍及び２次側巻線４が巻回された側の他端近傍には、図２に示されるように、内蔵されたＩ型コア５のｙ軸方向と直交する側面及びｚ軸方向の下面の一部のみが露出する開口２ａ、２ｂがそれぞれ形成されている。
【００２３】
樹脂ボビン２のｘ軸方向マイナス側端部とプラス側端部とには、１次側巻線３及び２次側巻線４がそれぞれ継線されると共に図示せぬ基板にインバータトランス１が実装される際の実装部になる一次電極部２２−１及び二次電極部２２−２と、１次側巻線３及び２次側巻線４のいずれも継線されず図示せぬ基板にインバータトランス１が実装される際の実装部になるダミー電極２３とが配置されている。なお、図３において一次電極部２２−１、二次電極部２２−２、及びダミー電極２３は、図３のｚ軸マイナス側へ延出して図示されているが、基板上に実装する際にはインバータトランス１が図示せぬ基板上に実装可能なように、図１及び図２に示されるようにｘ軸方向に平行な方向へ指向するように折り曲げられる。また樹脂ボビン２において、開口２ａ近傍及び開口２ｂ近傍位置には、第一固定金具７と第二固定金具８とが係止される第一溝２ｃ及び第二溝２ｄが形成されている。第一溝２ｃ及び第二溝２ｄは、鏡面状に略同一な形状に形成されており、樹脂ボビン２の側面に開口するようにｙ軸方向に向けて形成されている。
【００２４】
１次側巻線３と２次側巻線４とは、それぞれ互いに直径が異なる導線から構成され、樹脂ボビン２の外周においてリブ２Ａにより仕切られて、筒形状部２Ｂの軸方向の一端側と他端側とにそれぞれ巻回され、一次電極部２２−１及び二次電極部２２−２にそれぞれ継線されている。
【００２５】
Ｉ型コア５は、フェライト等の透磁性の素材によりｘ軸方向を長手方向とする略直方体に形成され樹脂ボビン２内に配置されている。従ってＩ型コア５は樹脂ボビン２の筒形状部２Ｂによって環装されている。また図２に示されるように、Ｉ型コア５の側面であって一端側端部近傍位置と他端側端部近傍位置とは、それぞれ開口２ａ及び開口２ｂから露出している。
【００２６】
Ｕ字型コア６は、Ｉ型コア５と同じ素材からなり、図２に示されるように、基部６１と基部６１の両端から延出される第一腕部６２及び第二腕部６３とから略Ｕ字型に構成されている。第一腕部６２の延出方向先端と第二腕部６３の延出方向先端とが開口２ａ及び開口２ｂから露出しているＩ型コア５の側面にそれぞれ当接すると共に、樹脂ボビン２の上面２５Ａを構成する壁にそれぞれ当接している。また図２に示されるように、第一腕部６２の側面には、ｙ軸方向のプラス側に突出する第一被係止部６２Ａが設けられ、第二腕部６３の側面には、ｙ軸方向のプラス側に向かう方向に突出する第二被係止部６３Ａが設けられている。
【００２７】
第一固定金具７と第二固定金具８とは、それぞれ板状の金属板が折り曲げられて互いに対称な形状に構成されており、それぞれ第一溝２ｃ内、第二溝２ｄ内に挿入されて樹脂ボビン２に固定されるとともに、第一被係止部６２Ａ及び第二被係止部６３Ａに係合して第一被係止部６２Ａ及び第二被係止部６３ＡをＩ型コア５に向けて付勢している。よってＩ型コア５にＵ字型コア６の第一腕部６２及び第二腕部６３が密着し、Ｉ型コア５とＵ字型コア６とで閉磁路が形成される。
【００２８】
１次側巻線３は直径が２００μｍの絶縁被覆された導線たるＡＩＷ（ポリアミドイミド銅線）からなり、いわゆる整列巻により１次側ボビン領域２４に巻回されている。即ち１次側巻線３は、筒形状部２Ｂの軸方向において１次側領域の一端から他端に渡って巻回された後に、１次側領域の他端から一端に渡って巻回され、このように１次側領域の一端、他端間を往復して巻回する工程を繰返すことにより１次側領域において筒形状部２Ｂの周方向へ２５回巻回される。
【００２９】
２次側巻線４は直径が３０μｍの絶縁被覆された導線たるＡＩＷ（ポリアミドイミド銅線）からなり、いわゆるバンク巻により２次側ボビン領域２５に巻回されている。本実施の形態におけるバンク巻は、筒形状部２Ｂの外周上に、図４に示されるように、筒形状部２Ｂの軸方向たるｘ軸方向に垂直方向に層状をなすように、筒形状部２Ｂの周方向へ２次側巻線４が巻回されることにより行われる。当該バンク巻についての以下の説明では、説明の便宜上上面２５Ａを含む樹脂ボビン２の要部のみについて当該上面２５Ａを含む要部断面図に基づき説明するが、上面２５Ａ以外の第一側面２５Ｂ、第二側面２５Ｃ、図示せぬ下面についても上面２５Ａを含む樹脂ボビン２の当該要部と同様に巻回される。また、図４の断面図においては、説明の便宜上後述の２次側巻線４−１、４−２、・・・、４−４０の断面についてはハッチングを省略する。
【００３０】
より具体的には、樹脂ボビン２が図示せぬスピンドルに装着されｘ軸方向へ延出する回転軸を中心として回転させられることにより、２次側巻線４は先ず、図４に示されるように、リブ２Ａ及び筒形状部２Ｂに当接するようにして、図４に示される２次側巻線４の「１」の番号が付された１番目たる２次側巻線４−１が巻回し始められ（以下、図４中に番号が付された２次側巻線４の部分をそれぞれ巻回された順に「２次側巻線４−１、４−２、・・・、４−４０」と表示することとする）、ｘ軸方向のプラス側へ向かって、２次側巻線４−２が２次側巻線４−１の図４に示される右横部及び筒形状部２Ｂの上面２５Ａに当接するようにして巻回され、２次側巻線４−３が２次側巻線４−２の図４に示される右横部及び筒形状部２Ｂの上面２５Ａに当接するようにして巻回され、２次側巻線４−４が２次側巻線４−３の図４に示される右横部及び筒形状部２Ｂの上面２５Ａに当接するようにして巻回される。次に、ｘ軸方向のマイナス側へ少し戻り、２次側巻線４−５が２次側巻線４−３の図４に示される上部及び２次側巻線４−４の上部に当接するようにして巻回される。このようにして２次側巻線４−４と２次側巻線４−５とにより、筒形状部２Ｂの軸方向へリブ２Ａから離間するにつれて筒形状部２Ｂの上面２５Ａへ近づく反鍔側バンク角が形成される。
【００３１】
次に、ｘ軸方向のプラス側へ向かって、２次側巻線４−６が２次側巻線４−４の図４に示される右横部及び筒形状部２Ｂの上面２５Ａに当接するようにして巻回される。次に、ｘ軸方向のマイナス側へ少し戻り、２次側巻線４−７が２次側巻線４−４の上部、２次側巻線４−６の上部、及び２次側巻線４−５の右横部に当接するようにして巻回される。このようにして２次側巻線４−６と２次側巻線４−７とにより、筒形状部２Ｂの軸方向へリブ２Ａから離間するにつれて筒形状部２Ｂの上面２５Ａへ近づく反鍔側バンク角が形成される。
【００３２】
次に、ｘ軸方向のプラス側へ向かって、２次側巻線４−８が２次側巻線４−６の図４に示される右横部及び筒形状部２Ｂの上面２５Ａに当接するようにして巻回される。次に、ｘ軸方向のマイナス側へ少し戻り、２次側巻線４−９が２次側巻線４−６の上部、２次側巻線４−８の上部、及び２次側巻線４−７の右横部に当接するようにして巻回される。このようにして２次側巻線４−８と２次側巻線４−９とにより、筒形状部２Ｂの軸方向へリブ２Ａから離間するにつれて筒形状部２Ｂの上面２５Ａへ近づく反鍔側バンク角が形成される。
【００３３】
次に、ｘ軸方向のプラス側へ向かって、２次側巻線４−１０が２次側巻線４−８の図４に示される右横部及び筒形状部２Ｂの上面２５Ａに当接するようにして巻回される。次に、ｘ軸方向のマイナス側へ少し戻り、２次側巻線４−１１が２次側巻線４−８の上部、２次側巻線４−１０の上部、及び２次側巻線４−９の右横部に当接するようにして巻回される。次に、ｘ軸方向のマイナス側へ更に少し戻り、２次側巻線４−１２が２次側巻線４−９の上部及び２次側巻線４−１１の上部に当接するようにして巻回される。このようにして２次側巻線４−１０と２次側巻線４−１１と２次側巻線４−１２とにより、筒形状部２Ｂの軸方向へリブ２Ａから離間するにつれて筒形状部２Ｂの上面２５Ａへ近づく反鍔側バンク角が形成される。
【００３４】
次に、ｘ軸方向のプラス側へ向かって、２次側巻線４−１３が２次側巻線４−１０の図４に示される右横部及び筒形状部２Ｂの上面２５Ａに当接するようにして巻回される。次に、ｘ軸方向のマイナス側へ少し戻り、２次側巻線４−１４が２次側巻線４−１０の上部、２次側巻線４−１３の上部、及び２次側巻線４−１１の右横部に当接するようにして巻回される。次に、ｘ軸方向のマイナス側へ更に少し戻り、２次側巻線４−１５が２次側巻線４−１１の上部、２次側巻線４−１４の上部、及び２次側巻線４−１２の右横部に当接するようにして巻回される。このようにして２次側巻線４−１３と２次側巻線４−１４と２次側巻線４−１５とにより、筒形状部２Ｂの軸方向へリブ２Ａから離間するにつれて筒形状部２Ｂの上面２５Ａへ近づく反鍔側バンク角が形成される。
【００３５】
次に、ｘ軸方向のプラス側へ向かって、２次側巻線４−１６が２次側巻線４−１３の図４に示される右横部及び筒形状部２Ｂの上面２５Ａに当接するようにして巻回される。次に、ｘ軸方向のマイナス側へ少し戻り、２次側巻線４−１７が２次側巻線４−１３の上部、２次側巻線４−１６の上部、及び２次側巻線４−１４の右横部に当接するようにして巻回される。次に、ｘ軸方向のマイナス側へ更に少し戻り、２次側巻線４−１８が２次側巻線４−１４の上部、２次側巻線４−１７の上部、及び２次側巻線４−１５の右横部に当接するようにして巻回される。このようにして２次側巻線４−１６と２次側巻線４−１７と２次側巻線４−１８とにより、筒形状部２Ｂの軸方向へリブ２Ａから離間するにつれて筒形状部２Ｂの上面２５Ａへ近づく反鍔側バンク角が形成される。
【００３６】
次に、ｘ軸方向のプラス側へ向かって、２次側巻線４−１９が２次側巻線４−１６の図４に示される右横部及び筒形状部２Ｂの上面２５Ａに当接するようにして巻回される。次に、ｘ軸方向のマイナス側へ少し戻り、２次側巻線４−２０が２次側巻線４−１６の上部、２次側巻線４−１９の上部、及び２次側巻線４−１７の右横部に当接するようにして巻回される。次に、ｘ軸方向のマイナス側へ更に少し戻り、２次側巻線４−２１が２次側巻線４−１７の上部、２次側巻線４−２０の上部、及び２次側巻線４−１８の右横部に当接するようにして巻回される。次に、ｘ軸方向のマイナス側へ更に少し戻り、２次側巻線４−２２が２次側巻線４−１８の上部及び２次側巻線４−２１の上部に当接するようにして巻回される。このようにして２次側巻線４−１９と２次側巻線４−２０と２次側巻線４−２１と２次側巻線４−２２とにより、筒形状部２Ｂの軸方向へリブ２Ａから離間するにつれて筒形状部２Ｂの上面２５Ａへ近づく反鍔側バンク角が形成される。
【００３７】
次に、ｘ軸方向のプラス側へ向かって、２次側巻線４−２３が２次側巻線４−１９の図４に示される右横部及び筒形状部２Ｂの上面２５Ａに当接するようにして巻回される。次に、ｘ軸方向のマイナス側へ少し戻り、２次側巻線４−２４が２次側巻線４−１９の上部、２次側巻線４−２３の上部、及び２次側巻線４−２０の右横部に当接するようにして巻回される。次に、ｘ軸方向のマイナス側へ更に少し戻り、２次側巻線４−２５が２次側巻線４−２０の上部、２次側巻線４−２４の上部、及び２次側巻線４−２１の右横部に当接するようにして巻回される。次に、ｘ軸方向のマイナス側へ更に少し戻り、２次側巻線４−２６が２次側巻線４−２１の上部、２次側巻線４−２５の上部、及び２次側巻線４−２２の右横部に当接するようにして巻回される。このようにして２次側巻線４−２３と２次側巻線４−２４と２次側巻線４−２５と２次側巻線４−２６とにより、筒形状部２Ｂの軸方向へリブ２Ａから離間するにつれて筒形状部２Ｂの上面２５Ａへ近づく反鍔側バンク角が形成される。
【００３８】
次に、ｘ軸方向のプラス側へ向かって、２次側巻線４−２７が２次側巻線４−２３の図４に示される右横部及び筒形状部２Ｂの上面２５Ａに当接するようにして巻回される。次に、ｘ軸方向のマイナス側へ少し戻り、２次側巻線４−２８が２次側巻線４−２３の上部、２次側巻線４−２７の上部、及び２次側巻線４−２４の右横部に当接するようにして巻回される。次に、ｘ軸方向のマイナス側へ更に少し戻り、２次側巻線４−２９が２次側巻線４−２４の上部、２次側巻線４−２８の上部、及び２次側巻線４−２５の右横部に当接するようにして巻回される。次に、ｘ軸方向のマイナス側へ更に少し戻り、２次側巻線４−３０が２次側巻線４−２５の上部、２次側巻線４−２９の上部、及び２次側巻線４−２６の右横部に当接するようにして巻回される。このようにして２次側巻線４−２７と２次側巻線４−２８と２次側巻線４−２９と２次側巻線４−３０とにより、筒形状部２Ｂの軸方向へリブ２Ａから離間するにつれて筒形状部２Ｂの上面２５Ａへ近づく反鍔側バンク角が形成される。
【００３９】
次に、ｘ軸方向のプラス側へ向かって、２次側巻線４−３１が２次側巻線４−２７の図４に示される右横部及び筒形状部２Ｂの上面２５Ａに当接するようにして巻回される。次に、ｘ軸方向のマイナス側へ少し戻り、２次側巻線４−３２が２次側巻線４−２７の上部、２次側巻線４−３１の上部、及び２次側巻線４−２８の右横部に当接するようにして巻回される。次に、ｘ軸方向のマイナス側へ更に少し戻り、２次側巻線４−３３が２次側巻線４−２８の上部、２次側巻線４−３２の上部、及び２次側巻線４−２９の右横部に当接するようにして巻回される。次に、ｘ軸方向のマイナス側へ更に少し戻り、２次側巻線４−３４が２次側巻線４−２９の上部、２次側巻線４−３３の上部、及び２次側巻線４−３０の右横部に当接するようにして巻回される。次に、ｘ軸方向のマイナス側へ更に少し戻り、２次側巻線４−３５が２次側巻線４−３０の上部及び２次側巻線４−３４の上部に当接するようにして巻回される。このようにして２次側巻線４−３１と２次側巻線４−３２と２次側巻線４−３３と２次側巻線４−３４と２次側巻線４−３５とにより、筒形状部２Ｂの軸方向へリブ２Ａから離間するにつれて筒形状部２Ｂの上面２５Ａへ近づく反鍔側バンク角が形成される。
【００４０】
次に、ｘ軸方向のプラス側へ向かって、２次側巻線４−３６が２次側巻線４−３１の図４に示される右横部及び筒形状部２Ｂの上面２５Ａに当接するようにして巻回される。次に、ｘ軸方向のマイナス側へ少し戻り、２次側巻線４−３７が２次側巻線４−３１の上部、２次側巻線４−３６の上部、及び２次側巻線４−３２の右横部に当接するようにして巻回される。次に、ｘ軸方向のマイナス側へ更に少し戻り、２次側巻線４−３８が２次側巻線４−３２の上部、２次側巻線４−３７の上部、及び２次側巻線４−３３の右横部に当接するようにして巻回される。次に、ｘ軸方向のマイナス側へ更に少し戻り、２次側巻線４−３９が２次側巻線４−３３の上部、２次側巻線４−３８の上部、及び２次側巻線４−３４の右横部に当接するようにして巻回される。次に、ｘ軸方向のマイナス側へ更に少し戻り、２次側巻線４−４０が２次側巻線４−３４の上部、２次側巻線４−３９の上部、及び２次側巻線４−３５の右横部に当接するようにして巻回される。このようにして２次側巻線４−３６と２次側巻線４−３７と２次側巻線４−３８と２次側巻線４−３９と２次側巻線４−４０とにより、筒形状部２Ｂの軸方向へリブ２Ａから離間するにつれて筒形状部２Ｂの上面２５Ａへ近づく反鍔側バンク角が形成される。
【００４１】
上述のように２次側巻線４−３６と２次側巻線４−３７と２次側巻線４−３８と２次側巻線４−３９と２次側巻線４−４０とにより、筒形状部２Ｂの軸方向へリブ２Ａから離間するにつれて筒形状部２Ｂの上面２５Ａへ近づく反鍔側バンク角が形成されたのと同様にして、これ以降２次側巻線４が更に巻回され続け、同様の反鍔側バンク角が形成されて２次側巻線４が筒形状部２Ｂの上面２５Ａ上に、図４に示されるように、筒形状部２Ｂの軸方向に垂直方向に結果的に最大で１０層の層状をなすように筒形状部２Ｂの周方向へ巻回される。巻回数は２次側巻線４−１から計２５００回巻回されている。なお、図４には、説明の便宜上５層の層状をなす２次側巻線４の部分のみが図示されている。
【００４２】
以上のようなバンク巻で巻回された２次側巻線４の部分であって、筒形状部２Ｂの軸方向においてリブ２Ａに対向する２次側巻線４の部分は、図４に示されるように、筒形状部２Ｂの軸方向へリブ２Ａから離間するにつれて筒形状部２Ｂの上面２５Ａから離間するような鍔側バンク角４ｂを有する鍔側バンク部４Ａを有している。より具体的には、２次側巻線４−１の周面上部と２次側巻線４−５の周面上部と２次側巻線４−１２の周面上部と２次側巻線４−２２の周面上部と２次側巻線４−３５の周面上部とを結ぶ仮想接線４ａが鍔側バンク角４ｂをなし、鍔側バンク角４ｂは、筒形状部２Ｂの軸方向であってリブ２Ａから離間する方向たるｘ軸プラス方向を基準として、バンクの下から上へ向かう方向、即ち２次側巻線４−１から２次側巻線４−３５へと向かう方向へ２０°の角度をなす。
【００４３】
筒形状部２Ｂの軸方向においてリブ２Ａに対向する２次側巻線４の部分は、筒形状部２Ｂの軸方向へリブ２Ａから離間するにつれて筒形状部２Ｂの上面２５Ａから離間するような鍔側バンク角４ｂを有する鍔側バンク部４Ａを有し、鍔側バンク部４Ａの鍔側バンク角４ｂは、筒形状部２Ｂの軸方向であってリブ２Ａから離間する方向を基準として、２次側巻線４−１から２次側巻線４−３５へと向かう方向へ２０°の角度をなしているため、リーケージインダクタンスを所望の値とすることができる。
【００４４】
次に、本発明の実施の形態による高圧トランスたるインバータトランス１において鍔側バンク角４ｂを調整することによるリーケージインダクタンスの変化率を測定する実験を行った。実験では、鍔側バンク角４ｂのみを上述した実施の形態による高圧トランスの鍔側バンク角４ｂとは異なる値とした。より具体的には、９０°のときの変化率を０．００％として基準とし、鍔側バンク角４ｂを７．５°、１０°、１２．５°、１５°、１７．５°、２０°、２２．５°と変えた場合のリーケージインダクタンスの変化率を測定した。これ以外の値、即ち１次側巻線３の径や巻回数や２次側巻線４の径や巻回数等については、上述した実施の形態による高圧トランスと同一である。実験結果は図５に示されるとおりである。
【００４５】
図５に示されるように、鍔側バンク角４ｂが９０°から２０°の間ではリーケージインダクタンスの変化率はほとんど変化せず、２０°では０．２１％である。これに対して鍔側バンク角４ｂが２０°以下ではリーケージインダクタンスの変化率は急激に大きくなる。鍔側バンク角４ｂが２２．５°では０．０８％であり、鍔側バンク角４ｂが２０°では０．２１％であり、鍔側バンク角４ｂが１７．５°では０．５８％であり、鍔側バンク角４ｂが１５°では０．９６％であり、鍔側バンク角４ｂが１２．５°では５．５３％であり、鍔側バンク角４ｂが１０°では１０．２０％であり、鍔側バンク角４ｂが７．５°では１９．２０％である。以上より、鍔側バンク角４ｂが２０°以下では鍔側バンク角４ｂを調整することでリーケージインダクタンスが大きく変化するため、０よりも大きく２０°以下の範囲内で鍔側バンク角４ｂを調整することにより、１次側巻線３と２次側巻線４との離間距離を容易に調整することができ、この結果、バンク巻により２次側巻線４が巻回されている場合であっても容易にリーケージインダクタンスを調整することができることが分かる。
【００４６】
本発明は、上記した実施の形態に限定されず、特許請求の範囲に記載された範囲で種々の変形や改良が可能である。例えば、２次側巻線１０４は、筒形状部２Ｂの上面２５Ａ上のリブ２Ａと鍔側バンク部１０４Ａとの間にリブ２Ａから鍔側バンク部１０４Ａに至るまで筒形状部２Ｂの軸方向へ向かって筒形状部２Ｂの周方向に螺旋状に巻回された整列巻部１０４Ｂを有するようにしてもよい。
【００４７】
より具体には、図６に示されるように２次側巻線１０４は、先ず、リブ２Ａ及び筒形状部２Ｂに当接するようにして、図６に示される２次側巻線１０４の「１」の番号が付された１番目たる２次側巻線１０４−１が巻回し始められ（以下、本実施の形態と同様に、図６中に番号が付された２次側巻線１０４の部分をそれぞれ巻回された順に「２次側巻線１０４−１、１０４−２、・・・、１０４−３９」と表示することとする）、ｘ軸方向のプラス側へ向かって、２次側巻線１０４−２が２次側巻線１０４−１の図６に示される右横部及び筒形状部２Ｂの上面２５Ａに当接するようにして巻回され、２次側巻線１０４−３が２次側巻線１０４−２の図４に示される右横部及び筒形状部２Ｂの上面２５Ａに当接するようにして巻回され、２次側巻線１０４−４が２次側巻線１０４−３の図４に示される右横部及び筒形状部２Ｂの上面２５Ａに当接するようにして巻回されてゆく。以上のようにして、２次側巻線１０４−１と２次側巻線１０４−２と２次側巻線１０４−３と２次側巻線１０４−４とからなる整列巻部１０４Ｂが形成される。従って整列巻部１０４Ｂは、図６に示されるように筒形状部２Ｂの軸方向に垂直の方向で整列巻部１０４Ｂの層の数を数えた場合に単層をなしている。なお、図６の断面図においては、説明の便宜上２次側巻線１０４−１、１０４−２、・・・、１０４−４０の断面についてはハッチングを省略する。
【００４８】
次に、本実施の形態の２次側巻線４−１、４−２、４−３、・・・と同様にしてバンク巻により２次側巻線１０４−５、１０４−６、１０４−７、・・・が巻回される。このように２次側巻線１０４は、筒形状部２Ｂの上面２５Ａ上のリブ２Ａと鍔側バンク部１０４Ａとの間に、リブ２Ａから鍔側バンク部１０４Ａに至るまで筒形状部２Ｂの軸方向へ向かって筒形状部２Ｂの周方向に螺旋状に巻回された整列巻部１０４Ｂを有し、整列巻部１０４Ｂは筒形状部２Ｂの軸方向に垂直の方向で整列巻部１０４Ｂの層の数を数えた場合に単層をなしているため、整列巻部１０４Ｂがリーケージインダクタンスの調整に影響を与えないようにすることができる。このため、整列巻部１０４Ｂの分だけ２次側巻線１０４の鍔側バンク部１０４Ａをリブ２Ａからより大きな距離で離間させることができ、リーケージインダクタンスをより大きくすることができる。
【００４９】
整列巻部１０４Ｂは、リーケージインダクタンスの調整に影響を与えなければ問題ないため、上述の単層に代えて、筒形状部２Ｂの軸方向に垂直の方向で２次側巻線１０４の層の数を数えた場合の層数の最大値の２０％以内の層数を有する複数層としてもよい。
【００５０】
また、上記実施の形態及び変形例では、２次側巻線４、１０４はバンク巻により巻回されていたが、以下のような巻回方法により巻回されてもよい。より具体的には２次側巻線２０４は、図７に示される様に、二次巻線２０４が等ピッチで八ターン巻回されて所謂クロス巻を形成して２次側ボビン領域２５表面を略覆う層部Ｌａを構成しており、層部Ｌａ（図７）が複数層に亘って重層されている。ここで「ターン」とは、筒形状部２Ｂの軸方向において２次側ボビン領域２５の一端から他端までの間で、２次側巻線２０４が螺旋状に複数回に亘って筒形状部２Ｂの周方向へ巻回された状態を言う。また「ピッチ」とは、一ターンにおいて螺旋状に巻回される２次側巻線２０４の隣り合う螺旋間の距離を言う。
【００５１】
以下、２次側巻線２０４で第一の層部Ｌａを構成する２次側巻線２０４の巻回について説明する。まずボビン２を図示せぬスピンドルに装着しｘ軸方向に指向する回転軸を中心として回転させ、図８に示されるように、ｘ軸マイナス側の位置から延出される２次側巻線２０４を、上面２５Ａから第一側面２５Ｂに向かい図示せぬ下面を通して第二側面２５Ｃから再び上面２５Ａに配線されるよう等ピッチでｘ軸プラス方向に２次側ボビン領域２５端部まで巻回し、第一ターンＴ１を形成する（第一ターン部形成工程）。第一ターンＴ１におけるピッチたる２次側巻線２０４間の間隔は、２次側巻線２０４の直径とターン数から一を引いた数との積以上の値となっている。
【００５２】
次に、第一ターンＴ１の一ピッチにおける２次側巻線２０４間を充たすように、リブ２Ａ位置からｘ軸マイナス方向に向けて第一ターンＴ１と等ピッチかつ、第一ターンＴ１の２次側巻線２０４に対して２次側巻線２０４の直径に僅かに充たない程度にボビン２の軸方向にずらした状態でｘ軸マイナス方向における２次側ボビン領域２５端部よりも若干ｘ軸プラス寄りの位置まで巻回し、図９に示されるように、第二ターンＴ２を形成する。
【００５３】
第二ターンＴ２において２次側巻線２０４は、第一側面２５Ｂ表面及び第二側面２５Ｃ表面で、第一ターンＴ１の２次側巻線２０４の一方側（ｘ軸方向マイナス側）に位置するように配置されている。これにより、上面２５Ａにおいては第一側面２５Ｂ近傍位置で第一ターンＴ１の２次側巻線２０４と交わり（図９の領域Ａ）、図示せぬ下面においては、第二側面２５Ｃ近傍位置で第一ターンＴ１の２次側巻線２０４と交わる。２次側ボビン領域２５の角部近傍において角部から引き回された２次側巻線２０４が交差するため、交差位置で２次側巻線２０４に好適にテンションが掛かり、巻締められた状態で２次側巻線２０４を交差させることができる。
【００５４】
また第二ターンＴ２の２次側巻線２０４は、第一ターンＴ１の２次側巻線２０４に対して２次側巻線２０４の直径に僅かに充たない程度にずれているため、図１０に示されるように、第一側面２５Ｂ上でΔＰほど重なった状態で巻回される。２次側巻線２０４はテンションが掛けられた状態で巻回されるため、上述のように第一ターンＴ１に第二ターンＴ２が重なったとしても、その重なった量ΔＰが僅かであるため、第二ターンＴ２の２次側巻線２０４が第一ターンＴ１の２次側巻線２０４に添った状態で第一側面２５Ｂ表面に落ち込む。第二ターンＴ２の２次側巻線２０４が第一ターンＴ１の２次側巻線２０４に添った状態で第一側面２５Ｂ表面に落ち込むことにより、第一側面２５Ｂ表面において、第一ターンＴ１の２次側巻線２０４と第二ターンＴ２の２次側巻線２０４とが好適に整列することができる。
【００５５】
次に、第二ターンの巻回終了位置から、第一ターンＴ１の一ピッチにおける２次側巻線２０４間を充たすように、ｘ軸プラス方向に向けて第一ターンＴ１と等ピッチかつ、第２ターンＴ２の２次側巻線２０４に対して２次側巻線２０４の直径に僅かに充たない程度にずらした状態でｘ軸プラス方向における２次側ボビン領域２５端部よりも若干ｘ軸マイナス寄りの位置まで巻回し、図１１に示されるように、第三ターンＴ３を形成する。
【００５６】
第二ターンＴ２が第一ターンＴ１の２次側巻線２０４の一方側（ｘ軸方向マイナス側）に位置するように、この第三ターンＴ３も第二ターンＴ２の２次側巻線２０４の一方側（ｘ軸方向マイナス側）に、第二ターンＴ２の２次側巻線２０４に添って配置されている。これにより、第三ターンＴ３の２次側巻線２０４は、上面２５Ａにおいては第二側面２５Ｃ近傍位置で第二ターンＴ２の２次側巻線２０４と交差し（図１１の領域Ｂであって、領域Ａとは異なる領域）、図示せぬ下面においては、第一側面２５Ｂ近傍位置で第二ターンＴ２の２次側巻線２０４と交差する。
【００５７】
第三ターンＴ３を巻回した後に、第四ターンＴ４を、第二ターンＴ２と同様に巻回する（図１２）。第四ターンＴ４の２次側巻線２０４は、上面２５Ａ表面において領域Ａよりｙ軸方向マイナス側に位置する領域Ｃで第一ターンＴ１の２次側巻線２０４と交差し、領域Ａで第三ターンＴ３の２次側巻線２０４と交差する。
【００５８】
次に第五ターンＴ５を第三ターンＴ３と同様に巻回する（図１３）。第五ターンＴ５の２次側巻線２０４は、上面２５Ａ表面において領域Ｂで第四ターンＴ４の２次側巻線２０４と交差し、領域Ｂよりｙ軸方向プラス側に位置する領域Ｄで第二ターンＴ２の２次側巻線２０４と交差する。これを更に第六ターンＴ６〜第八ターンＴ８で繰り返して第一ターンＴ１のピッチ間をすべて充たし（導線間充填工程）、図７に示される層部Ｌａが形成される。第一の層部Ｌａが形成されると、さらに第一の層部Ｌａに重層して、同様に第一ターンＴ１〜第八ターンＴ８から成る第二の層部Ｌａを形成する。
【００５９】
これを複数回繰り返して図７に示される状態に２次側巻線２０４が形成される。この際、第二の層部Ｌａ、第三の層部Ｌａと上層にゆくにつれて、筒形状部２Ｂの軸方向における層部Ｌａの端部は、徐々に筒形状部２Ｂの軸方向においてリブ２Ａから離間する方向たるｘ軸方向プラス側へ位置するように巻回される。このことにより、筒形状部２Ｂの軸方向においてリブ２Ａに対向する２次側巻線２０４の部分は、筒形状部２Ｂの軸方向へリブ２Ａから離間するにつれて筒形状部２Ｂの外周から離間するような鍔側バンク角を有する鍔側バンク部を有する構成となる。鍔側バンク部の鍔側バンク角は、本実施の形態と同様に、筒形状部２Ｂの軸方向であってリブ２Ａから離間する方向を基準として０°よりも大きく２０°以下の値を採る。
【００６０】
２次側巻線２０４を上述のような巻回方法により巻回したため、第一ターンと第二ターンとが交差する箇所、第二ターンと第三ターンとが交差する箇所をいずれも重ならせずに済む。このため、２次側巻線２０４を構成する導線が交差する箇所が顕著に盛り上がることを防止でき、巻崩れの発生を抑制することができる。
【００６１】
また、本実施の形態による高圧トランスはインバータトランス１であったが、インバータトランスに限定されず、リーケージインダクタンスを利用する高圧トランスに応用可能である。
【００６２】
また、２次側巻線４の巻回数は２５００回であったが、この値に限定されず、１０００回〜４０００回であってもよい。また、２次側巻線２０４は直径が３０μｍであったが、この値に限定されず、２０μｍ〜４０μｍであってもよい。
【産業上の利用可能性】
【００６３】
本発明の高圧トランスは、インバータトランス等の２次側巻線に高電圧がかかるトランス等の分野において有用である。
【図面の簡単な説明】
【００６４】
【図１】本発明の実施の形態にかかる高圧トランスを示す斜視図。
【図２】本発明の実施の形態にかかる高圧トランスを示す底面図。
【図３】本発明の実施の形態にかかる高圧トランスからカバー、１次側巻線、及び２次側巻線を除いた部分を示す斜視図。
【図４】本発明の実施の形態にかかる高圧トランスの２次側巻線を示す要部断面図。
【図５】本発明の実施の形態にかかる高圧トランスの実験結果を示すグラフ。
【図６】本発明の実施の形態の変形例にかかる高圧トランスの２次側巻線を示す要部断面図。
【図７】本発明の実施の形態の変形例にかかる高圧トランスの第二巻線の一層部を示す部分平面図。
【図８】本発明の実施の形態の変形例にかかる高圧トランスの樹脂ボビンに二次巻線の一ターンが巻回された状態を示す部分平面。
【図９】本発明の実施の形態の変形例にかかる高圧トランスの樹脂ボビンに二次巻線の二ターンが巻回された状態を示す部分平面。
【図１０】本発明の実施の形態の変形例にかかる高圧トランスの樹脂ボビンに二次巻線の二ターンが巻回される状態を示す部分断面図。
【図１１】本発明の実施の形態の変形例にかかる高圧トランスの樹脂ボビンに二次巻線の三ターンが巻回された状態を示す部分平面。
【図１２】本発明の実施の形態の変形例にかかる高圧トランスの樹脂ボビンに二次巻線の四ターンが巻回された状態を示す部分平面。
【図１３】本発明の実施の形態の変形例にかかる高圧トランスの樹脂ボビンに二次巻線の五ターンが巻回された状態を示す部分平面。
【符号の説明】
【００６５】
１                  インバータトランス
２                  樹脂ボビン
２Ａ                リブ
２Ｂ                筒形状部
３                  １次側巻線
４、１０４、２０４                        ２次側巻線
４Ａ、１０４                              鍔側バンク部
１０４Ｂ            整列巻部
４ｂ                鍔側バンク角
５                  Ｉ型コア
６                  Ｕ字型コア
【図１】
2010109131.tif 000003
【図２】
2010109131.tif 000004
【図３】
2010109131.tif 000005
【図４】
2010109131.tif 000006
【図５】
2010109131.tif 000007
【図６】
2010109131.tif 000008
【図７】
2010109131.tif 000009
【図８】
2010109131.tif 000010
【図９】
2010109131.tif 000011
【図１０】
2010109131.tif 000012
【図１１】
2010109131.tif 000013
【図１２】
2010109131.tif 000014
【図１３】
2010109131.tif 000015